(57)【要約】【課題】この発明の配線ケーブルは、さや管が挿通された外被管の捩れを防ぐことを特徴とする。【解決手段】複数組の通信線１１を外被管１２によって覆った構造のケーブル１３、１４と、光ファイバケーブルや通信ケーブルを挿入するためのさや管１６が挿通された外被管１５とから構成され、これらのケーブル１３、１４及び外被管１５はブリッジ１７により連接され、外被管１５の内壁と外被管１５に挿通されたさや管１６の外壁との間には所定の隙間１８が存在することを特徴とする。【選択図】    図１
2004362888.tif 000002
【特許請求の範囲】
【請求項１】
ケーブルと、
ブリッジによって上記ケーブルと連接された外被管と、
上記外被管の内壁との間に隙間を有するように外被管内に挿通されたさや管
とを具備したことを特徴とする配線ケーブル。
【請求項２】
前記隙間に充填され、前記外被管の内壁と前記さや管との間の摩擦抵抗を下げる潤滑材をさらに具備したことを特徴とする請求項１記載の配線ケーブル。
【請求項３】
前記潤滑材が液体である請求項２記載の配線ケーブル。
【請求項４】
前記潤滑材が粉体である請求項２記載の配線ケーブル。
【請求項５】
前記潤滑材が粘性を有する流動体である請求項２記載の配線ケーブル。
【発明の詳細な説明】
【０００１】
【発明の属する技術分野】
この発明は通信用の配線ケーブルに関する。
【０００２】
【従来の技術】
同軸ケーブルや単芯ケーブルからなる複数本のケーブルがブリッジによって連接された配線ケーブル（多連接配線ケーブル）において、ケーブルの布設後に、光ファイバケーブルや他の通信ケーブルを追加布設することが可能な配線ケーブルが知られている（例えば特許文献１参照）。
【０００３】
図３は特許文献１に記載された配線ケーブルの断面を示している。この配線ケーブルは、それぞれ２芯の通信線１１を複数組、外被管１２によって覆った構造のケーブル１３、１４と、外被管１５に挿通された光ファイバ用さや管１６とから構成されており、これらのケーブル１３、１４及び外被管１５はブリッジ１７により連接されている。なお、上記光ファイバ用さや管１６は、外被管１５の内壁に密着するように、外被管１５によって隙間無く覆われている。
【０００４】
このような配線ケーブルは、布設前は束巻された状態にされており、束巻された配線ケーブルを延ばして布設する際の延線作業時に、光ファイバ用さや管１６が外被管１５に密着しているので、布設後に外被管１５及び光ファイバ用さや管１６に捩れ（キンク状態）が生じ、さや管１６に光ファイバケーブルを追加布設する際に作業性が低下するという問題がある。
【０００５】
さらに、さや管１６に捩れが生じている状態で、さや管１６内に光ファイバケーブルを通して布設を行うと、光ファイバケーブルに対して余分な荷重が加わり、通信信頼性が損なわれる恐れがある。
【０００６】
【特許文献１】
特開２００１−７６５４２号公報
【０００７】
【発明が解決しようとする課題】
この発明は上記のような事情を考慮してなされたものであり、その目的は、布設時のキンク状態を無くし、布設作業時の安定性と通信信頼性を確保することができる配線ケーブルを提供することである。
【０００８】
【課題を解決するための手段】
この発明の配線ケーブルは、ケーブルと、ブリッジによって上記ケーブルと連接された外被管と、上記外被管の内壁との間に隙間を有するように外被管内に挿通されたさや管とを具備している。
【０００９】
また、外被管の内壁とさや管との間の隙間を充填するように、外被管の内壁とさや管との間の摩擦抵抗を下げる潤滑材を設けるようにしてもよい。この潤滑材は液体、粉体や、粘性を有する流動体のものであってもよい。
【００１０】
【発明の実施の形態】
以下、図面を参照してこの発明の実施の形態を詳細に説明する。
【００１１】
図１は、この発明の第１の実施の形態に係る配線ケーブルの断面を示している。この配線ケーブルは、複数本の２芯の通信線１１、例えば４組の通信線１１を例えばポリ塩化ビニール樹脂からなる外被管１２によって覆った構造の例えば２本の長尺状のケーブル１３、１４と、光ファイバケーブルや通信ケーブルを挿入するためのさや管１６が挿通された、例えばポリ塩化ビニール樹脂からなる長尺状の外被管１５とから構成されており、これらのケーブル１３、１４及び外被管１５はブリッジ１７により連接されている。
【００１２】
また、外被管１５の内壁と、外被管１５に挿通されたさや管１６の外壁との間に所定の隙間１８が存在するように、外被管１５の内径とさや管１６の外径とが設定されている。なお、上記さや管１６は硬質ポリエチレン製の中空パイプからなり、一般にコルゲートチューブと呼ばれている。
【００１３】
このような構成の配線ケーブルは、布設前は束巻された状態にされている。外被管１５とさや管１６との間には隙間１８が存在しているので、束巻された配線ケーブルを延ばして布設する際の延線作業時に、外被管１５に捩れが生じていたとしても、内部のさや管１６がフリーな状態なので、捩れがない状態に容易に戻ることができる。すなわち、この実施の形態による配線ケーブルは、布設作業時にキンク状態になることを防止することができる。
【００１４】
また、外被管１５とさや管１６とが密着しておらずフリーな状態なので、配線ケーブルの取り扱い時に曲げ荷重が小さく押さえられ、布設時の作業性が向上する。
【００１５】
さらに、布設後も、さや管１６が外被管１５の内部でフリーな状態にされるので、さや管１６内に通信ケーブルや光ファイバケーブルを挿通させる追加布設の際に、通信ケーブルや光ファイバケーブルに加わる荷重が軽減され、さや管１６に挿通された通信ケーブルや光ファイバケーブルの通信信頼性が向上する。
【００１６】
図２は、この発明の第２の実施の形態に係る配線ケーブルの断面を示している。なお、この第２の実施の形態に係る配線ケーブルの基本的な構造は、図１に示す第１の実施の形態のものと同じなので、図１と対応する箇所には図１中のものと同じ符号を付してその説明は省略し、図１と異なる点のみを説明する。
【００１７】
この第２の実施の形態に係る配線ケーブルでは、図１中に示される外被管１５とさや管１６との間の隙間１８を埋めるように、外被管１５の内壁とさや管１６との間の摩擦抵抗を下げる潤滑材１９が充填されている。
【００１８】
この実施の形態によれば、潤滑材１９により、外被管１５とさや管１６との間の摩擦抵抗が下げられるので、さや管１６の自由度が増し、より効果的である。
【００１９】
なお、上記潤滑材１９としては、例えば液体、粉体のものや、さらには粘性を有する流動体のものを使用することができる。
【００２０】
この発明は上記各実施の形態に限定されるものではなく種々の変形が可能であることはいうまでもない。例えば上記各実施の形態では、通信線１１を有するケーブルが２つである場合を説明したが、これは１つ、あるいは３つ以上設けられていてもよい。また、断面形状についても図示したものに限定されず、要するに１本あるいは複数本のケーブルと、内部にさや管を有する外被管とがブリッジによって連接された構成を有するものであれば、どのような構成の配線ケーブルに対しても実施することができる。
【００２１】
【発明の効果】
以上説明したようにこの発明によれば、布設時のキンク状態を無くし、布設作業時の安定性と通信信頼性を確保することができる配線ケーブルを提供することができる。
【図面の簡単な説明】
【図１】この発明の第１の実施の形態に係る配線ケーブルの断面図。
【図２】この発明の第２の実施の形態に係る配線ケーブルの断面図。
【図３】従来の配線ケーブルの断面図。
【符号の説明】
１１…通信線、１２…外被管、１３、１４…ケーブル、１５…外被管、１６…さや管、１７…ブリッジ、１８…隙間、１９…潤滑材。
【図１】
2004362888.tif 000003
【図２】
2004362888.tif 000004
【図３】
2004362888.tif 000005